(57)【要約】【課題】低コストかつ短時間に心臓血管内の定量的な画像診断が行える装置を提唱すること。【解決手段】血管内に挿入したカテーテルに設置した超音波プローブから照射される超音波ビームの反射波を基に血管断面画像を得る装置において、(1)超音波プローブを回転させながら血管壁全周に超音波ビームを照射し、血管壁からの超音波エコーを観測し、ドップラ効果によって生じるドップラ偏移周波数を解析する手段、(2)ドップラ偏移周波数のうち、拍動の影響によるカテーテル中心の移動に依拠するドップラ偏移周波数を取り除くため、ある照射方向とそれと180度の方向からのドップラ偏移周波数を足し、カテーテル中心の移動の影響を除く手段、(3)血管壁のドップラ偏移周波数を基に血管の断面画像を計算するため、超音波周波数をA/D変換しコンピュータ画像情報処理装置で解析を行い、画像表示する手段、を備えた超音波診断装置を用いた血管断層面画像化装置。【選択図】        図８
2005270149.tif 000002
【特許請求の範囲】
【請求項１】
血管内に挿入したカテーテルに設置した超音波プローブから照射される超音波ビームの反射波（超音波エコー）を基に血管断面画像を得る装置において、
(1)超音波プローブを回転させながら血管壁全周に超音波ビームを照射し、血管壁からの超音波エコーを観測し、前記照射超音波ビームの周波数と前記超音波エコーの周波数の差すなわちドップラ効果によって生じる偏移変化量であるドップラ偏移周波数を解析する手段、
(2)前記ドップラ偏移周波数のうち、拍動の影響によるカテーテル中心の移動に依拠するドップラ偏移周波数を取り除くために、ある照射方向のドップラ偏移周波数ならびにそれと１８０度の方向から観測されたドップラ偏移周波数を足し合わすことによって、カテーテル中心の移動の影響を除去し、血管壁からのドップラ偏移周波数のみを取り扱う手段、
(3)血管壁によるドップラ偏移周波数を基に血管の断面画像を計算するために、超音波周波数をＡ／Ｄ変換してデジタル化してコンピュータ画像情報処理装置で解析を行い、血管壁の構造を画像表示する手段、
を備えたことを特徴とする超音波診断装置を用いた血管断層面画像化装置。
【請求項２】
請求項１に記載の超音波診断装置を用いた血管断層面画像化装置において、
電圧の変化として表現された出力信号に適当な周波数を持った信号を超音波診断装置の出力信号に掛け合わせ、合成された波の周波数のうち高周波部分を高周波フィルタでカットし、低い周波数付近の波をデジタル化して画像情報処理装置へ送信し解析を行う手段、
を備えたことを特徴とする請求項１に記載の超音波診断装置を用いた血管断層面画像化装置。
【発明の詳細な説明】
【技術分野】
【０００１】
本発明は、超音波診断装置によって心臓周辺の血管（例えば心臓の冠動脈などの冠状血管）に照射される超音波ビームと反射波（超音波エコー）をデジタル化し、コンピュータで解析してリアルタイムに血管壁の断層面を画像化する装置に関する。
【背景技術】
【０００２】
超音波診断装置は様々な医療分野で利用されている。例えば、母胎内の胎児の映像化なども、最近は超音波を用いて行われている。また血管を流れる血液量計算や血管の状態を画像化するのにも、超音波が利用されている。
【０００３】
図１は、超音波による血管内を流れる血液量の測定や血流を映像化するためのドップラ計測の概念図を示している。血管1の内部を血液100とともに流れている速度ｖの物体2があるとする。いま超音波プローブ3から照射された超音波ビーム300が物体2に当たり、物体2の進行方向に対して角度θで反射され、超音波プローブで観測されたとする。照射する超音波ビーム300の周波数ｆ0、観測される超音波エコーの周波数ｆ1とすると、ドップラ効果によって、
ｆ1＝｛（１＋βｃｏｓθ）／（１−βｃｏｓθ）｝ｆ0
＝｛（１＋２βｃｏｓθ＋２（βｃｏｓθ）2＋……｝ｆ0  ………（式１）
の関係式が成り立つ。ここで
β＝ｖ／ｃ
ｃ＝血液中の音速
である。従ってドップラ偏移周波数ｆdは、
ｆd＝ｆ1−ｆ0
＝（２βｃｏｓθ＋２（βｃｏｓθ）2＋……｝ｆ0      ………（式２）
と求められる。血管内を流れる血液の速度は約5m/sであり、血液中の音速は1540m/s（実際には観測部位により±1540m/s×3%の変化はあるが）であるから、血液とともに流れる物体の速度は血液の速度と同じと考えられ、βの２乗項以降は１乗項に比べて無視できるほど小さいため、
ｆd＝２βｃｏｓθ・ｆ0                                 ………（式３）
と近似的に求めることができる。従って、物体からの反射波の周波数ｆ1を測定すれば、ドップラ偏移周波数ｆdが求められ、同時に血液の流れる速度ｖ（血流速）が計算できる。ｖに血管内の断面積を掛ければ血流量が求められる。また物体2は一般にカテーテルより注入される造影剤であり、血管の造影にも使われる。
【０００４】
アナログの超音波エコーデータをデジタル化（Ａ／Ｄ変換）する場合、アナログ波をサンプリング（標本化）し、量子化する。標本化には、観測される周波数の最高周波数の２倍以上の標本化周波数が必要である。図２はｓｉｎ波の例で、周波数ｆの波の周期Ｔは１／ｆであり、１周期に１波長だけ波が移動する。従って標本化周波数は最低でも２ｆが必要ということは、周期に直せばＴ／２間隔の時間ごとにサンプリングしなければならないということである。これを波長から見れば半波長であり、標本化には最低波の山と谷がピックアップできる周波数でサンプリングしなければならないということである。実際には波の山と谷が正確にサンプリングできるとは限らないため、より正確に波をデジタル化するにはより高い標本化周波数（通常１０倍）が必要ということになる。このことから、高周波の波になればなるほど、デジタル化したときのデータ量が増えることになる。なお、量子化される値は波の振幅であり、この振幅が光の場合には輝度、超音波の場合には濃度（輝度あるいは強度と表現することもある）として観測される。
【０００５】
超音波診断装置に関する特許文献としては『超音波診断装置及び超音波診断装置制御方法』（特許文献１）がある。この文献では、コントラストエコー法を用いて最適な送信条件を設定して超音波画像収集処理を行う方法や、観察領域に新規に造影剤が流入する様子を観察する方法について触れられている。『超音波画像表示方法および超音波診断装置』（特許文献２）では、超音波診断装置のカラードプラ表示で実際の管壁より外側にはみ出した太い血管が描出されるブルーミングの抑制方法や、かつ細い血管の描出能力低下を防止する方法について述べられている。『超音波カラードプラ断層装置』（特許文献３）では、心筋や血管壁などの運動する器官を含む領域を超音波ビームで走査してドプラ偏移を受けた超音波エコー信号を測定し、超音波エコーから器官運動速度のサンプルボリューム毎の演算、断層面での輪郭情報の演算、および断層画像のカラー表示をする装置について触れられている。
【特許文献１】特開２００３−１５３９００号公報
【特許文献２】特開２００２−３３６２５１号公報
【特許文献３】特開平０６−１１４０５９号公報
【発明の開示】
【発明が解決しようとする課題】
【０００６】
背景技術で見てきたように、超音波診断装置によって体内組織の画像化や血管内の血液量の測定が行える。とくにドップラ測定法は動いている物に対して超音波エコーの周波数を観測することにより、物体の運動速度を求めたり、対象物の断層面の測定などが行える。
【０００７】
背景技術で見てきたように、近年、血管内診断装置による画像の定量的な輝度解析が行われているが、同時に以下のような問題点も生じている。すなわち、血管内超音波診断装置から出力されるアナログ波形信号は40MHzまたは50MHzの高周波信号が中心となっていて、この波形信号をそのままサンプリングし、計算処理を行う場合、
１）高周波のＡ／Ｄ変換を行う必要があり、そのコストが高いこと
２）Ａ／Ｄ変換後のデータ量が膨大となり、処理時間が掛かること
などの問題がある。高周波数の超音波ほど鮮明な画像が得られるために、高周波数の超音波が使われる。そのため、上記のような問題が生じている。
【０００８】
そこで本発明が解決しようとする課題は、上記の問題を解決するための方法を開発することにある。すなわち、低コストかつ短時間（リアルタイム）に心臓血管（冠状血管）内の定量的な画像診断が行える装置を提唱することである。
【課題を解決するための手段】
【０００９】
請求項１の記載のように、血管内に挿入したカテーテルに設置した超音波プローブから照射される超音波ビームの反射波（超音波エコー）を基に血管断面画像を得る装置において、
(1)超音波プローブを回転させながら血管壁全周に超音波ビームを照射し、血管壁からの超音波エコーを観測し、前記照射超音波ビームの周波数と前記超音波エコーの周波数の差すなわちドップラ効果によって生じる偏移変化量であるドップラ偏移周波数を解析する手段、
(2)前記ドップラ偏移周波数のうち、拍動の影響によるカテーテル中心の移動に依拠するドップラ偏移周波数を取り除くために、ある照射方向のドップラ偏移周波数ならびにそれと１８０度の方向から観測されたドップラ偏移周波数を足し合わすことによって、カテーテル中心の移動の影響を除去し、血管壁からのドップラ偏移周波数のみを取り扱う手段、
(3)血管壁によるドップラ偏移周波数を基に血管の断面画像を計算するために、超音波周波数をＡ／Ｄ変換してデジタル化してコンピュータ画像情報処理装置で解析を行い、血管壁の構造を画像表示する手段、
を備えたことを特徴とする超音波診断装置を用いた血管断層面画像化装置とする。
【００１０】
請求項２に記載された発明は、請求項１に記載の超音波診断装置を用いた血管断層面画像化装置において、
電圧の変化として表現された出力信号に適当な周波数を持った信号を超音波診断装置の出力信号に掛け合わせ、合成された波の周波数のうち高周波部分を高周波フィルタでカットし、低い周波数付近の波をデジタル化して画像情報処理装置へ送信し解析を行う手段、
を備えたことを特徴とする請求項１に記載の超音波診断装置を用いた血管断層面画像化装置である。
【００１１】
血管内の断層画像を得るために、対象領域に対して超音波ビームを３６０度（全周）の照射を行うが、その際、ある方向の照射とその反対方向の照射を行ってエコー信号を測定する。これは、背景技術で挙げた（式３）により、
θ方向の偏移周波数        ：ｆd  ＝２βｃｏｓθ・ｆ0
１８０＋θ方向の偏移周波数：ｆd´＝２βｃｏｓ（１８０＋θ）・ｆ0
＝−２βｃｏｓ（θ）・ｆ0
であり、カテーテル中心の移動の影響を相殺（ｆd−ｆd´＝０）できるためである。これにより、血管壁からのエコー信号のみを取り扱える。
【００１２】
背景技術でも見てきたように、アナログ高周波数をデジタル化（Ａ／Ｄ変換）する場合、少なくとも最高周波数の２倍の標本化周波数でサンプリングしなければならない。しかし、それでは膨大なデータ量となり、リアルタイムの解析に支障が生じる。そこで請求項２の方法を導入する。すなわち、超音波診断装置によるリアルタイム血管断層面画像化方法において、観測される電圧の変化として表現された出力信号をそのままデジタル化するのではなく、適当な周波数を持った信号を掛け合わせ、合成された波の周波数のうち高周波数を高周波フィルタでカットし、低周波数部分の波をデジタル化して解析を行う手段を用いて、データ量を減らす方法を採り入れている。
【００１３】
高周波信号に直接データを載せたり（変調）、逆に直接データを取り出したりする（復調）では、回路設計も大変であり、製品コストも高くなる。このようなことから、本発明では、送受信する周波数よりも低い周波数の信号にする変復調操作を行う。二つの波を重ね合わせることをミキシングといい、この機能あるいはミキシング回路をミキサーと呼んでいる。今、二つの信号をそれぞれ
ａ（ｔ）＝ｓｉｎ（ω1ｔ）
ｂ（ｔ）＝ｓｉｎ（ω2ｔ）
ただし、ω1＝２πｆ1、ω2＝２πｆ2
としたとき、  
ａ（ｔ）・ｂ（ｔ）
＝ｓｉｎ（ω1ｔ）ｓｉｎ（ω2ｔ）
＝｛ｃｏｓ（ω1−ω2）ｔ−ｃｏｓ（ω1＋ω2）ｔ｝／２    ………（式４）
となる。
【００１４】
ここではなお話を簡単にするため振幅は１としてある。この波の様子を示したのが図３で、元の波ａ（ｔ）とｂ（ｔ）の積でミキシングすると、図の一番下のような波形になる。これは図４に示したように、元の周波数ｆ1、ｆ2の波をミキシングすることによって新たにｆ2−ｆ1とｆ1＋ｆ2の周波数の波が生じたことになる。高周波フィルタで、式４の第２項の高周波数部分をカットすれば、周波数が下げられる。送信回路では変調されたデータの載ったＩＦ信号まで引き上げたり、また受信回路では復調を行うための受信信号をＩＦ信号の周波数まで引き下げたりする必要がある（ＩＦ：Intermediate Frequency＜中間周波数＞）。この周波数変換を行う機能あるいは回路がミキサーであり、ミキサーにはダイオード（受動素子）を用いたパッシブミキサー（Passive Mixer）とトランジスタやＦＥＴなどの能動素子を用いたアクティブミキサー（Active Mixer）がある。どちらも、それぞれの半導体素子が持つ非線形特性を利用して周波数変換を行っている。
【発明の効果】
【００１５】
本発明は超音波診断装置を用いて心臓周辺の血管内の断層面をリアルタイムに解析し、画像化する方法である。これにより、ドップラ測定によって血管壁各部の断層面表示を行っている。本発明の目的であるリアルタイムに血管断層面の解析を行い、かつ表示できるようにするために、データ量を減らすことを目標とした。実際に血管壁の解析では、対角線上の超音波ビームの照射を行い、超音波エコー信号の周波数を測定することによって、カテーテル中心の移動の影響を取り除き、血管の動きのみを対象にすることができるようにしている。また、適当な周波数の信号を元の信号の周波数に乗算し、高周波部分の影響をカットし、低周波数でのＡ／Ｄ変換を行うことによって、取り込みデータ量を落とした解析を可能としている。このため、少ないデータ量で解析が可能となり、リアルタイムの冠状血管の断層面画像を表示することが可能となった。しかも、適当な周波数で観測周波数のエコー信号に乗算するという方法であるために、低コストの装置とすることができる。
【００１６】
血管壁の移動量の大きさに従ってカラー表示を行っているために、血管の伸展性が可視的に判断でき、血管診断をしやすくなっている。すなわち、動脈硬化が起きている部分やコレステロールが付着した部分では移動量が小さく、正常な部分では相対的に移動量が大きくなっている。この変化が色分けされているために、問題部位が発見しやすくなっている。
【発明を実施するための最良の形態】
【００１７】
発明を実施するための最良の形態を図を用いて説明する。血管壁の断層面を解析するために、図５は血管に垂直に超音波ビームを照射した場合の超音波エコー（反射波）の様子を示したものである。超音波プローブ2より照射される超音波ビーム300は、組織の境目で反射が起きる。図では血管の外壁111のＡ点、Ｄ点、内壁112のＢ点、Ｃ点で超音波エコー301が発生する。超音波エコーは乱反射であり、そのうちプローブ方向の超音波エコーが反射波として測定される。血管壁111、112が血管1に対して垂直方向に伸び縮みする。また血圧の変化によって超音波振動子（カテーテル）2も垂直方向に運動する。前記超音波振動子2の運動成分の影響は１８０度ずつ反対方向の反射波どちらにも等しく影響を及ぼすため、１８０度ずつ反対方向の超音波エコー信号を対で捉えることによって、血管壁の解析から取り除くことができる。これは、発明が解決しようとする課題で述べた通りである。
【００１８】
図６は、血管の内壁Ｂの運動に伴うドップラ偏移周波数ｆdを計測するときの概念図である。血管壁Ｂが矢印の方向にｖで移動していてるとすると、
ｆd  ＝２βｆ0              β  ＝ｖ／ｃ      ……………  （式５）
ｆd´＝−２β´ｆ0          β´＝ｖ／ｃ´
と求められる。ここでｆdは超音波プローブ2で観測されるドップラ偏移周波数、ｆd´は超音波プローブ2で観測されるドップラ偏移周波数、ｃは体内組織（血管）内の超音波の速度（音速）、ｃ´は血液中の音速である。ｃ≠ｃ´であるから、血液中の造影剤のドップラ偏移周波数のように相殺されることはない。いずれにしろドップラ偏移周波数ｆdまたはｆd´を計測することによって、式５により血管壁の速度すなわち時間当たりの移動量がわかる。正常な部位とコレステロールなどが付着した異状部位での血管壁の移動量は異なる。例えば同じ血管断面においても、図６に示すような瘤のできた部分Ｂ´の移動量ｖ´は瘤のない部分Ｂの移動量ｖに比べて小さい。この移動量の違いを色分けすることによって、観察者に注意を喚起することができる。
【００１９】
上記の解析では、超音波の周波数については触れてこなかった。しかし上記のような解析をコンピュータで行う場合には、アナログの高周波超音波をＡ／Ｄ変換してデジタルデータとしてコンピュータに取り込まなければならない。血管内超音波診断装置で使われる超音波の周波数は40MHzあるいは50MHzである。仮に40MHzの超音波を使った場合には、少なくても標本化周波数は80MHzが必要となる。しかしより正確なデータを得るために、通常元の周波数の１０倍すなわち400MHzが必要になる。仮に輝度（振幅）を４ビット（２4で分割して量子化）で表したとしても、１秒間の標本化されるデータ量は４×４００×１００万ビットとなる。この膨大なデータ量が、通常のパソコンなどでリアルタイムに処理する際の障害となっている。そこで本発明では観測周波数ｆ1の信号ａ（ｔ）に任意の周波数ｆloの信号ｂ（ｔ）をミキシングすることによって、周波数の変換操作を行う。すなわち、背景技術で挙げた式４を用い、
ａ（ｔ）＝ｓｉｎ（ω1ｔ）
ｂ（ｔ）＝ｓｉｎ（ω2ｔ）
ただし、ω1＝２πｆ1、ω2＝２πｆlo
としたとき、  
ａ（ｔ）・ｂ（ｔ）
＝ｓｉｎ（ω1ｔ）ｓｉｎ（ω2ｔ）
＝｛ｃｏｓ（ω1−ω2）ｔ−ｃｏｓ（ω1＋ω2）ｔ｝／２    ………（式４）
を計算し、高周波フィルタによって式４の第２項をカットし、第１項近辺の波形信号のみを取り出す。この取り出された信号に対してＡ／Ｄ変換を行ってデジタル化する。それを解析用のコンピュータ（通常パソコン）に送って周波数解析や信号強度（輝度）解析などを行う。なお図７は上記の操作（ミキシング）を図示したものである。背景技術で述べた操作の応用であるから、図の説明は省く。
【００２０】
具体的な例を挙げよう。例えば40MHzの超音波信号ａ（ｔ）に対して、ミックスする任意の信号ｂ（ｔ）の周波数を30MHzとしたときｆ1−ｆloは10MHzとなり、データ量を１／４に減らすことができる。
【００２１】
図８は、本発明の方法を実現する装置と処理の概要を示してる。超音波診断システム4は超音波診断装置400（超音波プローブはこの装置の一部）と周波数解析を行う画像情報処理装置410（通常パソコン）から構成され、超音波診断装置で観測した超音波は、周波数変換ボックス420で周波数変換され、画像情報処理装置に送信される。周波数変換ボックスはミキサーであり、本発明のより低い周波数の信号に変えて画像情報処理装置に送信する働きを持っている。画像情報処理装置では受信した信号をもとに周波数解析、輝度解析を行って、血管壁を画像化する。また血管壁の移動量（伸び縮みの速度）の大きさによって血管部分の色分け表示を行い、ディスプレイに表示する。
【産業上の利用可能性】
【００２２】
本発明は超音波診断装置を用いて心臓周辺の血管内の断層面をリアルタイムに解析し、画像化する方法である。これにより、ドップラ測定によって血管壁各部の断層面表示を行っている。本発明の目的であるリアルタイムに血管断層面の解析を行い、かつ表示できるようにするために、データ量を減らすことを目標とした。実際に血管壁の解析では、対角線上の超音波ビームの照射を行い、超音波エコー信号の周波数を測定することによって、カテーテル中心の移動の影響を取り除き、血管の動きのみを対象にすることができるようにしている。また、適当な周波数の信号を元の信号の周波数に乗算し、高周波部分の影響をカットし、低周波数でのＡ／Ｄ変換を行うことによって、取り込みデータ量を落とした解析を可能としている。このため、少ないデータ量で解析が可能となり、リアルタイムの冠状血管の断層面画像を表示することが可能となった。しかも、適当な周波数で観測周波数のエコー信号に乗算するという方法であるために、低コストの装置とすることができる。
【００２３】
血管壁の移動量の大きさに従ってカラー表示を行っているために、血管の伸展性が可視的に判断でき、血管診断をしやすくなっている。すなわち、動脈硬化が起きている部分やコレステロールが付着した部分では移動量が小さく、正常な部分では相対的に移動量が大きくなっている。この変化が色分けされているために、問題部位が発見しやすくなっている。
【図面の簡単な説明】
【００２４】
【図１】超音波プローブで血液中を流れる物体のドップラ偏移周波数を計算するために用いた血管内側面図である。
【図２】標本化周波数を説明するための信号のグラフ（ｓｉｎ波）である。
【図３】二つの信号をミキシングしたときの波形の変化を示したグラフである。
【図４】二つの信号をミキシングしたときに、新たに発生する信号を周波数について見たグラフである。
【図５】本発明の血管壁の移動量を求めるための、血管壁および血液中の物体の運動の様子を説明するための血管側断面と正面方向の断面を示す図である。
【図６】本発明の血管壁の移動量を求めるための、血管に垂直に照射した超音波ビームとその超音波エコーおよび血管の形状による移動量の違いを説明するための血管の断面図である。
【図７】本発明の周波数の引き下げを行うための周波数変換を行うミキサー処理の説明図、およびそのときの周波数の変化とフィルタリングの説明図である。
【図８】本発明の方法を実現するための血管内超音波診断システムのハードウェア構成と、画像情報処理装置での処理内容を説明するための図である。
【符号の説明】
【００２５】
１        血管
１００    血液
１１１    血管外壁
１１２    血管内壁
２        流体中を流れる物体（超音波プローブ、超音波振動子）
３        超音波プローブ
３００    超音波ビーム
３０１    超音波エコー
４        血管内超音波診断システム
４００    超音波診断装置
４１０    画像情報処理装置（通常パソコン。実際には画像処理だけでなく、血流量の計算等にも使う）
４２０    周波数変換装置（周波数変換ボックス）
その他の記号は本文を参照。
【図１】
2005270149.tif 000003
【図２】
2005270149.tif 000004
【図３】
2005270149.tif 000005
【図４】
2005270149.tif 000006
【図５】
2005270149.tif 000007
【図６】
2005270149.tif 000008
【図７】
2005270149.tif 000009
【図８】
2005270149.tif 000010